(57)【特許請求の範囲】
【請求項１】
タンパク質分析のための色素結合方法であって：
初期参照色素濃縮物から未知濃度の初期参照色素溶液を調製する工程；
該初期参照色素溶液の吸光度に基づく電子信号を吸光度信号として生成する工程；
その後に、該初期参照色素溶液および秤量した初期タンパク質サンプルの反応から調製された色素濾液溶液の吸光度に基づく電子信号を吸光度信号として生成する工程；
該参照色素溶液および該色素濾液溶液からの該吸光度信号を、プロセッサーに送る工程；
該初期参照色素溶液から連続的参照色素溶液を調整する工程；
前記連続的参照色素溶液および連続的タンパク質サンプルから調製された連続的色素濾液溶液の吸光度に基づく電子信号を吸光度信号として生成する工程；ならびに
該連続的色素濾液溶液からの吸光度信号を該プロセッサーに送って、該初期参照色素溶液の吸光度と該連続的色素濾液溶液の吸光度との間の差異に基づき該連続的タンパク質サンプルのタンパク質含量を算出する工程；
を包含する、方法。
【請求項２】
前記初期タンパク質サンプルの秤量が、該初期タンパク質サンプルを風袋サンプルカップに添加する工程、および該風袋サンプルカップおよび該初期タンパク質サンプルを秤量する工程によりなされる、請求項１に記載のタンパク質分析方法。
【請求項３】
前記初期タンパク質サンプルの秤量の後に、該初期タンパク質サンプルがホモジナイズされる、請求項２に記載のタンパク質分析方法。
【請求項４】
前記初期タンパク質サンプルのホモジナイズが、該初期タンパク質サンプルをグラインディングする工程、該初期タンパク質サンプルを粉砕する工程、該初期タンパク質サンプルをブレンドする工程、該初期タンパク質サンプルをミリングする工程、およびそれらの組み合わせからなる群から選択される、請求項３に記載のタンパク質分析方法。
【請求項５】
前記色素濾液溶液の吸光度に基づく電子信号を生成する工程の前に、前記初期参照色素溶液と前記初期タンパク質サンプルとの反応混合物を分離する工程をさらに包含する、請求項１に記載のタンパク質分析方法。
【請求項６】
前記初期参照色素溶液と前記初期タンパク質サンプルとの前記反応混合物を濾過する工程を包含する、請求項５に記載のタンパク質分析方法。
【請求項７】
前記連続的色素濾液溶液の吸光度に基づく電子信号を生成する工程の前に、前記連続的参照色素溶液と連続的タンパク質サンプルとの反応混合物を濾過する工程をさらに包含する、請求項１に記載のタンパク質分析方法。
【請求項８】
タンパク質分析のために比色計を較正し、そして複数のタンパク質サンプルを分析する方法であって、該方法が：
初期参照色素濃縮物および水から未知濃度の初期参照色素溶液を調製する工程；
該初期参照色素溶液を比色計に転送し、そして該初期参照色素溶液の吸光度を測定する工程；
その後に、該初期参照色素溶液と秤量したタンパク質サンプルとの反応から調製された初期色素濾液溶液を該比色計に転送し、そして該初期色素濾液溶液の吸光度を測定する工程；
該初期色素濾液溶液からの吸光度を測定した結果および該初期参照色素溶液からの吸光度測定した結果を、プロセッサーに送る工程；
該初期参照色素溶液から調整された連続的参照色素溶液と連続的タンパク質サンプルとから調整された連続的色素濾液溶液を該比色計に転送し、そして該連続的色素濾液溶液の吸光度を測定する工程；および
該連続的色素濾過溶液からの吸光度を測定した結果を該プロセッサーに転送して、該初期参照色素溶液の吸光度と該連続的色素濾液溶液の吸光度との間の差異に基づき該連続的タンパク質サンプルのタンパク質含量を算出する工程；
を包含する、方法。
【請求項９】
前記初期参照色素溶液を前記比色計に転送し、そして該初期参照色素溶液の吸光度を測定する前記工程が：
タンパク質サンプルを、前記初期参照色素溶液の一部分と混合する工程；
該タンパク質サンプルが該初期参照色素溶液と反応するときに生成されるタンパク質−色素沈殿物を濾過して濾液を得る工程；および
該濾液を前記比色計に転送する工程；
をさらに包含する、請求項８に記載のタンパク質分析方法。
【請求項１０】
前記タンパク質サンプルを前記初期参照色素溶液の一部分と混合する前記工程の前に、該タンパク質サンプルをホモジナイズする工程をさらに包含する、請求項９に記載のタンパク質分析方法。
【請求項１１】
前記初期参照色素濃縮物から調製された初期参照色素溶液が使い尽くされるまで、連続的色素濾液溶液を前記比色計に転送する工程を繰り返す工程を包含する、請求項８に記載のタンパク質分析方法。
【発明の詳細な説明】
【技術分野】
【０００１】
（背景）
本発明は、材料中のタンパク質、そしてより特定すれば、種々の食物サンプル中のタンパク質含量の決定に関する。
【背景技術】
【０００２】
タンパク質は、２０種の基礎アミノ酸から形成される長鎖分子であり、そしてすべての生存システムの構築ブロックである。タンパク質はまた、炭水化物、脂肪および油とともに、ほとんどすべての生物のための必要とされる食物供給源を代表する。
【０００３】
タンパク質は、必要とされる食物供給源であるので、それらは、市販されている食物製品中で広く利用可能である。人間は、肉、家禽、卵、海産食物、酪農製品、および堅果の形態でタンパク質を摂取する傾向にある。タンパク質はまた、営利的に飼育された家畜を含む多くの動物の食餌の必要な部分である。このような動物飼料のタンパク質源はまた、肉、家禽、卵、魚、およびトウモロコシおよびオート麦のような穀物を含み得る。
【０００４】
大量のヒト食物および動物食物は、相当に洗練された成長システムおよび分配システムを通って移動するので、食物製品中のタンパク質の量の知識は、品質管理、製造、貯蔵、分配、および使用のために価値があるか、または必要でさえある。結果として、ヒトの消費および動物の消費の両方のために種々の食物製品のタンパク質含量を測定することに対する必要性が、長く存在している。
【０００５】
タンパク質含量についての（間接的ではあるが）１つの初代の試験は、窒素に対するケルダール試験である。この試験では、タンパク質サンプルは、消化成分（例えば、濃硫酸、Ｈ２ＳＯ４）と、そして、しばしば酸化水銀（ＩＩ）触媒、硫酸カリウム、および過酸化水素の存在下で混合される。この酸は、窒素を硫酸アンモニウムに変換する。得られる溶液は、次いでアルカリにされ、アンモニアを遊離する。アンモニアの量は、次いで、標準的な酸を用いた滴定、または任意の他の相当する技法によって決定され得る。ケルダール分析のためのマイクロ波機器および技法は、本出願人に譲渡された特許文献１に呈示されている。
【０００６】
ケルダール試験は、タンパク質含量を決定する利点を提供するけれども、それは、タンパク質それ自体よりもむしろ総窒素に基づく。従って、任意の所定の試験結果は、タンパク質、ペプチド、またはアミノ酸以外の供給源由来の窒素を含み得る。ケルダール試験はまた、３００℃に到達し得る温度まで、そして金属触媒の存在下で硫酸を加熱する必要がある。ケルダール試験は比較的複雑で、４時間または５時間の長さを要し得、そして誤った窒素結果に陥りやすい可能性がある。後者の状況では、確認には、少なくとも第２の試験が必要である。
【０００７】
デュマ技法は、総窒素分析および総炭素分析のための代替の分析を呈示する。これは、サンプル材料の極度に迅速な燃焼によるガス相産物の発生に基づく燃焼技法である。例示の技法では、サンプルは、錫の燃焼カプセル中に保持され、そして触媒を含み、しかも比較的高温（１２００℃）で維持される燃焼チャンバー中に落とされる。純粋酸素のパルスがサンプルとともに入れられ、そして酸素および錫の得られる燃焼からの熱エネルギーが、１７００℃程度の高さの瞬間温度を生成する。この熱は、相当する材料の全燃焼を生成し、そして得られるガス相産物は、ヘリウムのような不活性ガスの流れの内に収集される。あるいは、サンプルは、熱い金属酸化物の存在下で酸化される。サンプル中の炭素は、二酸化炭素（ＣＯ２）に変換される。窒素燃焼産物は、２原子窒素（Ｎ２）および窒素の種々の酸化物を含む。これらは、代表的に、加熱された金属銅を用いる還元カラムを通して処理されて、窒素酸化物を２原子窒素に還元する。窒素は、生成されたＮ２の容量から決定されても、熱伝導度測定のようなその他の匹敵する技法によって決定されてもよい。
【０００８】
このデュマ技法は、比較的小さなサンプルサイズ（例えば、０．５グラム以下）に制限され、そしてケルダール技法のように、それは間接的である。なぜなら、それは、タンパク質自体よりもむしろ総窒素を測定するからである。小さなサンプルサイズはまた、このデュマ試験を、より不均一な材料にはより適切でないようにする。
【０００９】
赤外分光学または近赤外分光学のような間接的技法が、用いられ得るが、その間接的技法は、比較的広範囲に亘る較正を必要とし得る。さらに、水の存在は、比較的広い部分のスペクトルを横切る赤外吸収を曖昧にする傾向にある。植物タンパク質および動物タンパク質は、少なくともいくらかの水の存在下でしばしば見出されるので、これらの赤外技法は、しばしば有効ではない。
【００１０】
これらの理由およびその他の理由のため、タンパク質は、ときどき、色素結合方法によって測定され、その当初のバージョンは、Ｄｏｙｌｅ  Ｕｄｙ；例えば、非特許文献１、によって開発された。
【００１１】
最も単純な説明では、タンパク質サンプル（通常、液体懸濁物中）は、タンパク質に結合する色素分子の水性溶液と適切なｐＨで混合される。この溶液は、サンプルの予期されるタンパク質含量に基づき過剰の色素を含む。タンパク質およびこれらの特定された色素は反応し、溶液から色素分子を除去する沈殿固形物を形成する。溶液は、次いで、この沈殿物から濾過される。分光計または比色計中で測定されるとき、濾液中の色の損失は、上記沈殿物を形成した色素（そしてそれ故タンパク質）の量に比例する。これはまた、タンパク質濃度に反比例する濾液の色として表され得る（すなわち、タンパク質含量が高いほど、濾液中の色は薄くなる）。代表的な例として、アシッドオレンジ１２色素（クロセインオレンジＧ）を含む溶液は、約４８２ナノメートル（ｎｍ）の容易に同定される広い吸収ピークを有し、そしてその吸光度はベールの法則に従う。
【００１２】
この技法の１つの利点として、色素は、その他の窒素含有化合物よりもむしろタンパク質（アミノ酸）と強く結合する。それ故、それは、上記窒素含量技法が測定するよりも直接的にタンパク質含量を測定する。
【００１３】
しかし、この技法は、比較的複雑な測定および取り扱い技法、またはその各々が正確な結果を得るために適正に実施されなければならない少なくとも複数の操作工程を必要とする。例えば、使用者は、サンプルを注意深く調製しなけばならない。なぜなら、試験される小部分は、しばしば、非均一材料のかなりより大きい選集（トンの可能性）を代表するからである。この試験は、一般に、適切に取り扱われ、そして貯蔵され、そして調製されなければならない懸濁物に対して実施される。固形材料が試験されるとき、それらは、代表的には、グラインディングされるか、または粉砕されて、適切なサンプルを得る。半固形材料は、それらの均一性が変動する傾向にあり、ある部分はほぼ均一であり、そしてその他は、極めて不均一である。サンプルを直ちに用いることができないとき、それらをより長い期間保存することは、著しい注意を必要とする。
【００１４】
上記試薬は、さらなる挑戦を与え、そして調製、貯蔵、および使用において注意深く取り扱われなければならない。溶液調製の正確な要求は、比較的厳密であり、そしてこれらの調製は、適切に実施されなければならない。
【００１５】
従来の実施では、不溶性タンパク質サンプルを色素結合溶液と直接混合することは、当初のサンプルと、色素−タンパク質沈殿物と、残りの色素溶液との不均一混合物を生成する。この混合物は、代表的には、色素結合反応および当初のサンプルの両方からの固形物で満ち、そしてその混合物は、一般に、必要な濾過工程および比色分析工程には扱いにくすぎる。結果として、従来の色素結合技法は、色素溶液とタンパク質サンプル（代表的には、食物製品）とを直接混合することを避ける傾向にある。それに代わって−そしてさらなる工程では−タンパク質の注意深く秤量されたサンプルは、最初に、測定された様式でその当初の容量の約１０倍まで、代表的には水、または水、メタノールおよびクエン酸（引用）で希釈される。この希釈された混合物は、次いで、ブレンドされてより均一な希釈されたサンプルを形成する。この均一化された希釈サンプルは、次いで、色素結合溶液と混合されて、色素結合反応を開始する。
【００１６】
結果として、この必要な希釈は、全体のプロセスに、さらなる操作工程、さらなる測定工程、およびさらなる算出を導入する。
【００１７】
タンパク質試験は、通常、いくつかの異なるセットのアシッドオレンジ１２色素を得ること、およびそれらを調製することを含む。例えば、基礎的なＵｄｙ技法（Ｕｄｙ  Ｃｏｒｐｏｒａｔｉｏｎ、Ｐｒｉｎｃｉｐｌｅｓ  ｏｆ  Ｐｒｏｔｅｉｎ  Ｍｅａｓｕｒｅｍｅｎｔ、ｈｔｔｐ：／／ｗｗｗ．ｕｄｙｏｎｅ．ｃｏｍ／ｕｄｙｄｏｃｓ／ｕｄｙｓｙｓ２．ｓｈｔｍｌ、２００７年５月７日にアクセス）においては、濾液の色がデジタル比色計を用いて測定される。この比色計は、試薬色素溶液および作業参照色素溶液を用いてセットされる。標準的な参照色素溶液が、試薬色素溶液の適正濃度および作業参照色素溶液の適正濃度を確認するために用いられる。試薬色素溶液および標準参照色素溶液は、調製された形式においてか、または使用前に蒸留水および酢酸で希釈され得る濃縮物として利用可能である。使用者は、試薬色素溶液から作業参照色素溶液を調製する。
【００１８】
より簡潔に陳述すると、所定のサンプル中のタンパク質の量は、色素溶液の「前後」の色を比較することにより測定される。任意の所定の溶液の「前」の色は、その調製に依存してわずかに変動し得るので、比色計は、その色素溶液を用いる試験毎の前、または一連の試験の前に、個々の色素溶液に一致するよう較正されなければならない。
【００１９】
これらの比較的厳しい要求は、良好な結果をもたらすが、含まれる多くの工程は、通常予期される実験的不確実性を複合し、そして各工程はまた、完全な誤りの可能性を誘導する。
【００２０】
例えば、代表的な色素結合タンパク質サンプリングキットは、ブレンダー、別個のコンテナおよび色素溶液のためのバルブ、濾液からタンパク質−色素沈殿物を分離するための別個のフィルター、および別個の比色計を含む。同じ様式で、肉製品のタンパク質測定の「基礎工程」は、初期希釈工程、次いで、希釈されたサンプルをブレンダー中でホモジナイズすること、ブレンダーから、シリンジ、ピペットを用いてか、またはそのサンプルをボトル中に注ぐことによりサンプルを取り出すこと；サンプルに試薬色素溶液を添加し、そして試薬色素溶液を測定すること；サンプルを振盪すること；ならびに反応産物を比色計中に濾過して、吸光度、またはいくつかの事例では、吸光度に基づいてソフトウェアが生成するタンパク質含量を読み取ること（Ｕｄｙ  Ｃｏｒｐｏｒａｔｉｏｎ、Ｕｄｙ  Ｐｒｏｔｅｉｎ  Ｓｙｓｔｅｍｓ、ｗｗｗ．ｕｄｙｏｎｅ．ｃｏｍ／ｐｒｏｓｙｓｉｎｆｏ．ｈｔｍ、２００７年８月７日アクセス）を含む。
【００２１】
これらの試験工程は、参照（較正）目的および試験目的の両方のために標準化された色素溶液を調製するための同様に厳格な工程によって先行されなければならない。
【００２２】
１９７０年のＦｏｓｓ（ａ／ｋ／ａ  Ｆｏｓｓ  Ａｍｅｒｉｃａ、Ｆｏｓｓ  Ｅｌｅｃｔｒｉｃ  ａｎｄ  Ｆｏｓｓ  Ｎｏｒｔｈ  Ａｍｅｒｉｃａ）は、「Ｐｒｏ−Ｍｉｌｋ  ＩＩ」システムの形態で、ミルクのための色素結合試験を提供した。しかし、より最近、Ｆｏｓｓは、ミルク製品中のタンパク質含量を測定するために、ケルダール技法または赤外比色法のいずれかを用いる自動化デバイスを開発および提供した；例えば、Ｆｏｓｓ  Ｎｏｒｔｈ  Ａｍｅｒｉｃａ、Ｐｒｏｄｕｃｔｓ  ｄｉｒｅｃｔ、（ｏｎｌｉｎｅ）ｈｔｔｐ：／／ｗｗｗ．ｆｏｓｓ．ｕｓ／ｓｏｌｕｔｉｏｎｓ／ｐｒｏｄｕｃｔｓｄｉｒｅｃｔ．ａｓｐｘ（２００７年７月アクセス）。
【特許文献１】米国特許第４，８８２，２８６号明細書
【非特許文献１】「Ａ  Ｒａｐｉｄ  Ｍｅｔｈｏｄ  ｆｏｒ  Ｅｓｔｉｍａｔｉｎｇ  Ｔｏｔａｌ  Ｐｒｏｔｅｉｎ  ｉｎ  Ｍｉｌｋ」、Ｎａｔｕｒｅ、１９５６年８月１１日、第１７８巻、ｐ．３１４〜３１５
【発明の開示】
【発明が解決しようとする課題】
【００２３】
従って、これらの欠点を最小化または排除するタンパク質測定技法に対する必要性が存在する。
【課題を解決するための手段】
【００２４】
（要旨）
１つの局面では、本発明は、直接迅速自動化タンパク質分析器である。この局面では、本発明は、タンパク質サンプルを小粒子に変形するためのホモジナイザー、上記ホモジナイザーと材料転送連通している反応容器、上記反応容器と流体連通している結合色素組成物のためのリザーバー、別個の所定量の結合色素組成物を上記反応容器に分与するための、上記リザーバーと上記反応容器との間の定量ポンプ、色素結合反応が上記反応容器中で起こった後に濾液から固体を分離するための、上記反応容器と流体連通しているフィルター、ならびに上記反応容器および上記フィルターからの濾液の吸光度を測定するための、上記フィルターおよび上記反応容器と流体連通している比色計を含む。
【００２５】
別の局面では、本発明は、タンパク質分析のための色素結合方法である。この方法は、初期参照色素濃縮物から未知濃度の初期参照色素溶液を調製する工程、上記初期参照色素溶液の吸光度に基づく電子信号を生成する工程、その後に、上記初期参照色素溶液および初期タンパク質サンプルから調製された色素濾液溶液の吸光度に基づく電子信号を生成する工程、上記参照色素溶液および色素濾液溶液からの吸光度信号を、個々の吸光度を比較し、そして上記吸光度間の差異に基づき上記タンパク質サンプルのタンパク質含量を算出するプロセッサーに送る工程、上記参照色素溶液および連続的タンパク質サンプルから調製された連続的色素濾液溶液の吸光度に基づく電子信号を生成する工程、ならびに上記連続的サンプル色素濾液溶液からの吸光度信号を上記プロセッサーに送って、上記初期参照色素溶液の吸光度と上記連続的色素濾液溶液の吸光度との間の差異に基づき上記連続的サンプルのタンパク質含量を算出する工程を包む。
【００２６】
なお別の局面では、本発明は、タンパク質結合色素組成物のためのリザーバー、上記色素リザーバーと流体連通しているタンパク質−色素反応容器、上記リザーバーと流体連通している比色計、色素組成物を上記リザーバーから上記比色計および上記反応容器のうちの少なくとも１つに転送するための、上記リザーバーならびに上記比色計および上記反応容器のうちの少なくとも１つに流体連通しているポンプ、上記比色計から吸光度出力を受容するための、上記比色計と信号通信するプロセッサー、および吸光度を含む上記比色計からの出力を記憶するための、上記プロセッサーと信号通信するメモリーを備る。上記プロセッサーは、参照結合色素組成物のベースライン吸光度を、タンパク質との反応後の結合色素組成物の比吸光度と比較し、それによって、上記参照色素の吸光度と、それがタンパク質サンプルと反応した後の上記参照色素の吸光度との間の差異に基づいてタンパク質サンプル中のタンパク質の量を決定し得る。
【００２７】
なお別の局面では、本発明は、タンパク質分析のために比色計を較正し、そして複数のタンパク質サンプルを分析するための方法である。この局面では、この方法は、初期参照色素濃縮物および近似量の水から未知濃度の初期参照色素溶液を調製する工程、上記初期参照色素溶液を比色計に転送し、そして上記参照色素溶液の吸光度を測定する工程、その後に、上記初期参照色素溶液とタンパク質サンプルとの反応から調製された初期色素濾液溶液を上記比色計に転送し、そして上記初期色素濾液溶液の吸光度を測定する工程、上記初期色素濾液溶液からの吸光度結果および上記初期参照色素溶液からの吸光度結果を、個々の吸光度を比較し、そして上記吸光度間の差異に基づき上記サンプルのタンパク質含量を算出するプロセッサーに送る工程、連続的色素濾液溶液を上記比色計に転送し、そして上記連続的色素濾液溶液の吸光度を測定する工程、および上記連続的色素濾過溶液からの吸光度結果を上記プロセッサーに送って、上記初期参照色素溶液の吸光度と上記連続的色素濾液溶液の吸光度との間の差異に基づき上記連続的サンプルのタンパク質含量を算出する工程を包含する。
【００２８】
別の局面では、本発明は、タンパク質分析の色素結合方法の改良であって、この改良は、不均一の不溶性タンパク質サンプルを、色素結合溶液と直接混合し、かつホモジナイズする工程、タンパク質サンプルと色素結合溶液とのホモジナイズされた混合物から残りの未反応色素溶液を直接的に引き、かつ濾過する工程、および濾液の吸光度を測定する工程を包含する。
【００２９】
別の局面では、本発明は、タンパク質分析キットであり、このキットは、タンパク質サンプルを色素結合溶液と混合するためのサンプルカップ、および上記サンプルカップ中に位置決めされるためのフィルターホルダーを備える。上記フィルターホルダーは、フィルター媒体、および上記フィルター媒体が上記カップの上に位置決めされる場合にこのカップの底部分に到達する上記フィルター媒体の下の付随する（ｄｅｐｅｎｄ）吐水口を備える。
【００３０】
なお別の局面では、本発明は、タンパク質分析方法であり、この方法は、結合色素組成物をタンパク質サンプルと混合する工程、フィルターを比色計に取り付ける工程、混合物から未反応色素組成物を、上記フィルターが上記比色計に取り付けられている間に、上記フィルターを通して、上記比色計までポンプ輸送する工程、および上記比色計中の濾過された色素組成物の吸光度を測定する工程を包含する。
【００３１】
本発明の前述およびその他の目的および利点、ならびにそれらが達成される様式は、添付の図面と組み合わせて考慮し、以下の詳細な説明に基づきより明瞭になる。
【００３２】
従って、本発明は、以下の項目を提供する。
【００３３】
（項目１）  タンパク質分析のための色素結合方法であって：
初期参照色素濃縮物から未知濃度の初期参照色素溶液を調製する工程；
上記初期参照色素溶液の吸光度に基づく電子信号を生成する工程；
その後に、上記初期参照色素溶液および初期タンパク質サンプルから調製された色素濾液溶液の吸光度に基づく電子信号を生成する工程；
上記参照色素溶液および上記色素濾液溶液からの吸光度信号を、個々の吸光度を比較し、そして上記吸光度間の差異に基づき上記タンパク質サンプルのタンパク質含量を算出するプロセッサーに送る工程；
上記参照色素溶液および連続的タンパク質サンプルから調製された連続的色素濾液溶液の吸光度に基づく電子信号を生成する工程；ならびに
上記連続的サンプル色素濾液溶液からの吸光度信号を上記プロセッサーに送って、上記初期参照色素溶液の吸光度と上記連続的色素濾液溶液の吸光度との間の差異に基づき上記連続的サンプルのタンパク質含量を算出する工程；
を包含する、方法。
【００３４】
（項目２）  上記色素濾液溶液に基づく電気信号を生成する工程の前に、タンパク質サンプルを秤量する工程、および上記サンプルを上記初期参照色素溶液と混合する工程をさらに包含する、項目１に記載のタンパク質分析方法。
【００３５】
（項目３）  上記タンパク質サンプルを秤量する工程が、上記サンプルを風袋サンプルカップに添加する工程、および上記カップおよび上記サンプルを秤量する工程を包含する、項目２に記載のタンパク質分析方法。
【００３６】
（項目４）  上記サンプルを秤量する工程の後に、上記サンプルをホモジナイズする工程をさらに包含する、項目２に記載のタンパク質分析方法。
【００３７】
（項目５）  上記サンプルをホモジナイズする工程が、上記サンプルをグラインディングする工程、上記サンプルを粉砕する工程、上記サンプルをブレンドする工程、上記サンプルをミリングする工程、およびそれらの組み合わせからなる群から選択される、項目４に記載のタンパク質分析方法。
【００３８】
（項目６）  上記参照色素溶液を、上記ホモジナイズされたタンパク質サンプルと、上記色素溶液および上記サンプルを物理的に撹拌することにより混合する工程を包含する、項目４に記載のタンパク質分析方法。
【００３９】
（項目７）  上記濾液の吸光度に基づく電子信号を生成する工程の前に、上記初期参照色素溶液と上記初期タンパク質サンプルとの混合物を分離する工程をさらに包含する、項目１に記載のタンパク質分析方法。
【００４０】
（項目８）  上記初期参照色素溶液と上記初期タンパク質サンプルとの混合物を濾過する工程を包含する、項目７に記載のタンパク質分析方法。
【００４１】
（項目９）  上記濾液の吸光度に基づく電子信号を生成する工程の前に、連続的参照色素溶液と連続的タンパク質サンプルとの混合物を濾過する工程をさらに包含する、項目１に記載のタンパク質分析方法。
【００４２】
（項目１０）  上記初期参照色素溶液が使い尽くされるまで、連続的色素濾液溶液の分析を繰り返す工程；
その後、参照色素濃縮物から未知濃度の連続的参照色素溶液を調製する工程；および
項目１に記載の残りの工程を、上記連続的参照色素溶液と連続的タンパク質サンプルとの間の連続的反応から形成されるさらなる連続的色素濾液溶液について繰り返す工程；
を包含する、項目１に記載のタンパク質分析方法。
【００４３】
（項目１１）  上記初期色素濃縮物から上記連続的参照色素溶液を調製する工程を包含する、項目１に記載のタンパク質分析方法。
【００４４】
（項目１２）  異なる色素濃縮物から上記連続的参照色素溶液を調製する工程を包含する、項目１に記載のタンパク質分析方法。
【００４５】
（項目１３）  上記初期参照色素溶液の吸光度に基づく電子信号を生成する工程の前に、上記初期参照色素溶液を濾過する工程をさらに包含する、項目１に記載のタンパク質分析方法。
【００４６】
（項目１４）  タンパク質分析のために比色計を較正し、そして複数のタンパク質サンプルを分析する方法であって、上記方法が：
初期参照色素濃縮物および近似量の水から未知濃度の初期参照色素溶液を調製する工程；
上記初期参照色素溶液を比色計に転送し、そして上記参照色素溶液の吸光度を測定する工程；
その後に、上記初期参照色素溶液とタンパク質サンプルとの反応から調製された初期色素濾液溶液を上記比色計に転送し、そして上記初期色素濾液溶液の吸光度を測定する工程；
上記初期色素濾液溶液からの吸光度結果および上記初期参照色素溶液からの吸光度結果を、個々の吸光度を比較し、そして上記吸光度間の差異に基づき上記サンプルのタンパク質含量を算出するプロセッサーに送る工程；
連続的色素濾液溶液を上記比色計に転送し、そして上記連続的色素濾液溶液の吸光度を測定する工程；および
上記連続的色素濾過溶液からの吸光度結果を上記プロセッサーに送って、上記初期参照色素溶液の吸光度と上記連続的色素濾液溶液の吸光度との間の差異に基づき上記連続的サンプルのタンパク質含量を算出する工程；
を包含する、方法。
【００４７】
（項目１５）  サンプル色素溶液を転送する工程が：
タンパク質サンプルを、上記初期参照色素溶液の一部分と混合する工程；
上記タンパク質サンプルが上記初期参照色素溶液と反応するときに生成されるタンパク質−色素沈殿物を濾過する工程；および
濾液を上記比色計に転送する工程；
をさらに包含する、項目１４に記載のタンパク質分析方法。
【００４８】
（項目１６）  上記タンパク質サンプルを上記初期参照色素溶液と混合する工程の前に、上記タンパク質サンプルをホモジナイズする工程をさらに包含する、項目１５に記載のタンパク質分析方法。
【００４９】
（項目１７）  上記参照色素濃縮物から調製された溶液が使い尽くされるまで、連続的色素濾液溶液を上記比色計に転送する工程を繰り返す工程を包含する、項目１４に記載のタンパク質分析方法。
【００５０】
（項目１８）  未知濃度の連続的作業色素溶液を生成するために参照色素濃縮物からの連続的参照色素溶液を連続的近似量の水と混合する工程を包含する、項目１７に記載のタンパク質分析方法。
【００５１】
（項目１９）  すべてが上記水の連続的部分を参照色素濃縮物と混合する工程の後に；上記参照色素溶液を転送する工程、上記色素濾液溶液を転送する工程、上記吸光度結果を送る工程、連続的色素濾液溶液を転送する工程、および上記連続的吸光度結果を送る工程；を実施する工程をさらに包含する、項目１８に記載のタンパク質分析方法。
【００５２】
（項目２０）  上記初期参照色素濃縮物からの連続的参照色素溶液を混合する工程を包含する、項目１８に記載のタンパク質分析方法。
【００５３】
（項目２１）  上記初期参照色素濃縮物からの異なる濃縮物からの連続的参照色素溶液を混合する工程を包含する、項目１８に記載のタンパク質分析方法。
【００５４】
（項目２２）  タンパク質分析の色素−結合方法において、改良が：
不均一の不溶性タンパク質サンプルを、色素結合溶液と直接混合し、かつホモジナイズする工程；
タンパク質サンプルと色素結合溶液とのホモジナイズされた混合物から残りの未反応色素溶液を直接的に引き、かつ濾過する工程；および
濾液の吸光度を測定する工程；
を包含する、方法。
【００５５】
（項目２３）  肉サンプルを上記色素結合溶液と直接混合し、かつホモジナイズする工程を包含する、項目２２に記載のタンパク質分析方法。
【００５６】
（項目２４）  上記混合する工程、引く工程、濾過する工程、および測定する工程を２分未満で実施する工程を含む、項目２２に記載のタンパク質分析方法。
【００５７】
（項目２５）  結合色素組成物をタンパク質サンプルと混合する工程；
フィルターを比色計に取り付ける工程；
混合物から未反応色素組成物を、上記フィルターが上記比色計に取り付けられている間に、上記フィルターを通して、上記比色計までポンプ輸送する工程；および
上記比色計中の濾過された色素組成物の吸光度を測定する工程；
を包含する、タンパク質分析方法。
【００５８】
（項目２６）  上記吸光度を測定する工程の後に、上記比色計から上記フィルターを取り外す工程をさらに包含する、項目２５に記載のタンパク質分析方法。
【００５９】
（項目２７）  タンパク質サンプルを小粒子に変形するための手段；
ホモジナイザーと材料転送連通している反応容器；
上記反応容器と流体連通している結合色素組成物のためのリザーバー；
別個の所定量の結合色素組成物を上記反応容器に分与するための、上記リザーバーおよび上記反応容器と流体連通している定量ポンプ；
色素結合反応が上記反応容器中で起こった後に濾液から固体を分離するための、上記反応容器と流体連通しているフィルター；ならびに
上記反応容器および上記フィルターからの濾液の吸光度を測定するための、上記フィルターおよび上記反応容器と流体連通している比色計；
を備える、自動化タンパク質分析器。
【００６０】
（項目２８）  上記タンパク質変形手段が、ホモジナイザーを含む、項目２７に記載のタンパク質分析器。
【００６１】
（項目２９）  上記比色計と信号通信するプロセッサー；ならびに
参照試験からの吸光度結果およびサンプル試験からの吸光度結果を記憶するため、参照試験の吸光度とサンプル試験の吸光度とを比較するため、および上記比較に基づいてサンプルのタンパク質含量を算出するための、上記プロセッサーと信号通信するメモリー；
をさらに備える、項目２７に記載のタンパク質分析器。
【００６２】
（項目３０）  上記ホモジナイザーが、ブレンダー、ミル、およびそれらの組み合わせからなる群から選択される、項目２７に記載のタンパク質分析器。
【００６３】
（項目３１）  上記リザーバーと上記反応容器との間のバルブ；および
上記バルブと上記比色計との間の流体ライン；
をさらに備える、項目２７に記載のタンパク質分析器であって、
上記リザーバーからの結合色素溶液が、上記バルブの位置に基づいて上記反応容器または上記比色計に向けられ得る、タンパク質分析器。
【００６４】
（項目３２）  吸光度およびタンパク質含量からなる群から選択される項目を表示するための、上記プロセッサーと信号通信するディスプレイをさらに備える、項目２９に記載のタンパク質分析器。
【００６５】
（項目３３）  上記反応容器から上記比色計に濾液を転送するためのポンプをさらに備える、項目２７に記載のタンパク質分析器。
【００６６】
（項目３４）  上記ポンプが、上記反応容器に対して上記比色計の上流にある、項目３３に記載のタンパク質分析器。
【００６７】
（項目３５）  上記ホモジナイザーに洗浄流体を提供するための、上記ホモジナイザーと連通している洗浄リザーバーをさらに備える、項目２７に記載のタンパク質分析器。
【００６８】
（項目３６）  上記ホモジナイザーから廃洗浄流体を運ぶための、上記ホモジナイザーからのドレインをさらに備える、項目３５に記載のタンパク質分析器。
【００６９】
（項目３７）  タンパク質結合色素組成物のためのリザーバー；
上記色素リザーバーと流体連通しているタンパク質−色素反応容器；
上記リザーバーと流体連通している比色計；
色素組成物を上記リザーバーから上記比色計および上記反応容器のうちの少なくとも１つに転送するための、上記リザーバーならびに上記比色計および上記反応容器のうちの少なくとも１つに流体連通しているポンプ；
上記比色計からの吸光度出力を受容するための、上記比色計と信号通信するプロセッサー；および
吸光度を含む上記比色計からの出力を記憶するための、上記プロセッサーと信号通信するメモリー；
を備える、自動化タンパク質分析器であって、
上記プロセッサーが、参照結合色素組成物のベースライン吸光度を、タンパク質との反応後の結合色素組成物の比吸光度と比較し、それによって、上記参照色素の吸光度と、それがタンパク質サンプルと反応した後の上記参照色素の吸光度との間の差異に基づいてタンパク質サンプル中のタンパク質の量を決定し得る、自動化タンパク質分析器。
【００７０】
（項目３８）  色素組成物を上記リザーバーから上記反応容器または上記比色計に向けるための、上記ポンプと上記反応容器との間にあり、かつ上記比色計と流体連通しているバルブをさらに備える、項目３７に記載のタンパク質分析器。
【００７１】
（項目３９）  タンパク質−色素沈殿物から濾液を分離するための、上記反応容器と上記比色計との間のフィルターをさらに備える、項目３７に記載のタンパク質分析器。
【００７２】
（項目４０）  上記フィルターから上記比色計に濾液を転送するための、上記フィルターと上記比色計との間のポンプをさらに備える、項目３９に記載のタンパク質分析器。
【００７３】
（項目４１）  結合色素組成物との反応のための準備中のタンパク質サンプルをホモジナイズするための、上記反応容器と材料転送連通しているホモジナイザーをさらに備える、項目３７に記載のタンパク質分析器。
【００７４】
（項目４２）  タンパク質分析試験の間に上記ホモジナイザーを洗浄するための、上記ホモジナイザーと連通している洗浄リザーバーおよび上記ホモジナイザーと連通している洗浄ドレインをさらに備える、項目４１に記載のタンパク質分析器。
【００７５】
（項目４３）  上記プロセッサーと信号通信するディスプレイをさらに備える、項目３７に記載のタンパク質分析器。
【００７６】
（項目４４）  タンパク質結合色素組成物のためのリザーバー；
上記色素リザーバーと流体連通しているタンパク質−色素反応容器；
上記反応容器と流体連通している比色計；
上記比色計と上記反応容器との間で色素組成物を転送するための、上記比色計および上記反応容器と流体連通しているポンプ；
上記反応容器と上記比色計との間の上記流体連通の一部として取り外し可能に上記比色計と係合するフィルターホルダー；および
上記反応容器中の固体が上記比色計に到達することを防ぐための、上記フィルターホルダー中のフィルター媒体；
を備える、自動化タンパク質分析器。
【００７７】
（項目４５）  上記フィルターホルダーが、軸方向流体通路を規定し、上記フィルター媒体が、濾液を固体から分離するために上記軸方向通路に対して横断方向に位置決めされる、項目４４に記載のタンパク質分析器。
【００７８】
（項目４６）  上記フィルターホルダーが、個々の上部ハウジング部分および下部ハウジング部分を備え、上記フィルター媒体が、上記上部ハウジング部分と上記下部ハウジング部分との間に位置決めされる、項目４４に記載のタンパク質分析器。
【００７９】
（項目４７）  タンパク質サンプルを色素結合溶液と混合するためのサンプルカップ；
上記サンプルカップ中に位置決めされるためのフィルターホルダーであって、フィルター媒体、および上記フィルター媒体が上記カップの上に位置決めされる場合に上記カップの底部分に到達する上記フィルター媒体の下の付随する吐水口を含む、フィルターホルダー；
を備える、タンパク質分析キット。
【００８０】
（項目４８）  色素濃縮物溶液のコンテナをさらに備える、項目４７に記載のキット。
【００８１】
（項目４９）  洗浄溶液のボトルを備える、項目４８に記載のキット。
【００８２】
（項目５０）  複数のカップおよび複数のフィルターホルダーを備える、項目４９に記載のキット。
【００８３】
（項目５１）  対応する数のカップおよびフィルターホルダーを備える、項目５０に記載のキット。
【００８４】
（項目５２）  結合色素組成物とタンパク質サンプルとをホモジナイザーを用いて混合する工程；
ホモジナイザーの速度およびこのホモジナイザーに対する混合物の抵抗からなる群から選択されるパラメーターを測定する工程；
測定されたパラメーターに基づき、上記ホモジナイザーの速度を調節する工程；
上記混合物から未反応色素組成物を比色計にポンプ輸送する工程；および
上記比色計中の色素組成物の吸光度を測定する工程；
を包含する、タンパク質分析方法。
【００８５】
（項目５３）  結合色素組成物とタンパク質含有サンプルとを、サンプルカップ中でホモジナイザーを用いて混合する工程；
その後に、吐水口を、サンプルカップ中に、上記吐水口の開口部が、上記混合する工程によって生成される泡および沈殿物を避けるように位置決めされ、かつ上記サンプルカップの底の上の位置で挿入する工程；
その後に、上記サンプルカップ中の混合物から上記吐水口を通り、そして比色計まで色素組成物をポンプ輸送する工程；および
上記比色計中のポンプ輸送された色素組成物の吸光度を測定する工程；
を包含する、タンパク質分析方法。
【００８６】
（項目５４）  上記吐水口を上記サンプルカップ中に挿入する工程が、上記色素組成物が上記比色計に到達する前に、上記ポンプ輸送された色素組成物を濾過するためにフィルターに取り付けられている吐水口を挿入することを含む、項目５３に記載のタンパク質分析方法。
【００８７】
（項目５５）  上記吐水口を挿入する工程が、上記結合色素と混合されている上記タンパク質含有サンプルによって規定される位置で上記カップの底に対して上記吐水口を位置決めする工程を含む、項目５３に記載のタンパク質分析方法。
【００８８】
（項目５６）  第１の信号を、上記タンパク質含有サンプルの性質に基づきプロセッサーに送る工程；および上記第１の信号に基づき上記サンプルカップ中に上記吐水口を位置決めするために、上記プロセッサーからの第２の信号を上記吐水口のロボットコントロールに送る工程を包含する、項目５５に記載のタンパク質分析方法。
【００８９】
（項目５７）  色素結合組成物をサンプルカップにタンパク質含有サンプルとともに、上記色素結合組成物を上記カップの壁に送達することにより送達する工程；
その後に、上記結合色素組成物と上記タンパク質含有サンプルとを上記カップ中で混合する工程；
その後に、未反応色素組成物を混合物から比色計にポンプ輸送する工程；および
上記比色計中の上記色素組成物の吸光度を測定する工程；
を包含する、タンパク質分析方法。
【００９０】
（項目５８）  上記色素結合組成物を、上記カップの壁に上記カップを同時に回転しながら送達する工程を包含する、項目５７に記載のタンパク質分析方法。
【００９１】
（項目５９）  結合色素組成物とタンパク質含有サンプルとを、サンプルカップ中で、ホモジナイザーを用いて混合する工程；
上記サンプルカップを、上記色素およびサンプルを上記ホモジナイザーで混合しながら回転する工程；
その後に、上記サンプルカップ中の混合物から未反応色素組成物を、吐水口を通り、そして比色計までポンプ輸送する工程；および
上記比色計中のポンプ輸送された色素組成物の吸光度を測定する工程；
を包含する、タンパク質分析方法。
【００９２】
（項目６０）  上記色素およびサンプルを、回転するホモジナイザーで混合する工程；および
上記カップを、上記ホモジナイザーの回転軸以外の軸の周りで回転する工程；
を包含する、項目５９に記載のタンパク質分析方法。
【発明を実施するための最良の形態】
【００９３】
（発明の詳細な説明）
（詳細な説明）
本発明は、直接的かつ迅速な色素結合タンパク質分析のための機器および関連する方法である。本明細書および請求項で用いられる技術は、一般に文脈で明瞭である。しかし、役に立つ要旨として、いくつかの共通の用語は、以下の様式で用いられる。
【００９４】
用語「参照色素濃縮物」は、タンパク質と結合してタンパク質−色素沈殿物を形成する、参照色素の予め調製された（代表的には商業的に調製された）濃縮溶液をいう。
【００９５】
使用において、参照色素濃縮物は、適切な量の水（そして本明細書中で後に記載されるような可能なその他の品目）と混合されて、参照色素溶液を形成する。タンパク質分析試験では、この参照色素溶液は、タンパク質サンプルと混合される。
【００９６】
用語「初期参照色素濃縮物」は、初期参照色素溶液を調製するために用いられる参照色素濃縮物をいう。次に、この初期参照色素溶液は、第１の一連のタンパク質分析試験で用いられる。用語「連続的参照色素濃縮物」は、第２かまたはさらなる参照色素溶液を調製するために用いられる第２かまたはさらなる色素濃縮物をいう。この連続的参照色素溶液は、さらなるタンパク質分析試験で用いられる。上記初期参照濃縮物および連続的参照色素濃縮物は、同じ色素であり得る。
【００９７】
用語「初期タンパク質サンプル」は、本方法に従って試験される所定の一連のタンパク質サンプルにおいて最も早いものをいう。同じ様式で、用語「連続的タンパク質サンプル」は、本方法に従って試験される第２かまたはさらなるメンバーの一連のタンパク質サンプルをいう。
【００９８】
用語「色素濾液溶液」は、タンパク質サンプルが参照色素溶液と反応した後に残る溶液であって、名目上、固体が濾過された溶液をいい、本発明の文脈では、濾液は、固体が分離された任意の反応後の色素溶液を記載するために用いられ得る。次に、この「初期色素濾液溶液」は、タンパク質サンプルと参照色素溶液との間の第１のいくつか（または多く）の反応の後に得られる濾液を示す。同じ様式で、用語「連続的色素濾液溶液」は、タンパク質サンプルと参照色素溶液との間の第２かまたはさらなるいくつか（または多く）の反応の後に得られる濾液をいう。
【００９９】
図１は、本発明に従う機器の要素の概略図である。図１が機器の主要な機能的要素を示し、そしてこれら要素の代替の配列が依然として本発明および請求項の範囲内に入り得ることが、理解される。図１は、サンプルホルダーまたはカップ１０を示し、これは、本発明の方法の局面に関して論議されるように、タンパク質サンプルを添加する前に秤量（風袋測定）され得る。図１は、この目的のためのバランス１９を示す。この機器は、サンプルをカップ１０から、１１で広く指定されるホモジナイザーに転送する。このホモジナイザーは、タンパク質サンプルを可能な限り小さく粒子に変形し、それによって、結合色素との完全な反応を提供する。従って、図１は、ホモジナイザー１１を、ブレンダー１２またはボールミル１３を含むとして概略的に示す。しかし、これらは例示であり、そしてそのホモジナイザーは、これら特定のタイプの装備に制限されない。
【０１００】
反応容器１４は、ライン１５によって示されるように、ホモジナイザー１１と材料転送連通している。図７〜１３に関して例示および記載されるように、カップ１０および反応容器１４の機能はまた、カップ１０中に挿入され得、そして次に指令によって除去され得るホモジナイザー１１を用いることにより単一容器を用いて実施され得る。結合色素組成物のためのリザーバー１６は、ライン１７を通じて反応容器１４と流体連通している。定量ポンプ２０は、反応容器１４と別個の所定の（予め測定された）量の結合色素組成物を反応容器１４に分与するためのリザーバー１６との間に位置決めされる。タンパク質−色素反応を完了まで駆動することを補助するため、上記機器は、図１にスタラー１８として示される適切な撹拌機を含み得る。
【０１０１】
フィルター２１は、色素結合反応が反応容器１４中で起こった後に、濾液から固体を分離するために、反応容器１４と流体連通している。２２で広く指定される比色計は、フィルター２１を通過する反応容器１４からの濾液の吸光度を測定するために、フィルター２１および反応容器１４と流体連通する。
【０１０２】
図１はまた、リザーバー１６と反応容器１４との間のバルブ２３、およびバルブ２３と比色計２４との間の流体ライン２４を示す。バルブ２３と流体ライン２４との組み合わせは、リザーバーからの結合色素溶液が、反応容器１４に向けられるか、または比色計２４に直接向けられることを許容する。これは、上記機器に、本発明の方法の局面に関してより詳細に記載される参照測定を自動的に行う能力を提供する。
【０１０３】
示される実施形態はまた、反応容器１４と比色計２２との間に、反応容器から比色計２２に濾液を転送するための光学ポンプ（ｏｐｔｉｃｓ  ｐｕｍｐ）２５を含む。
【０１０４】
比色計の性質および作動は、当該技術分野で良好に理解されており、そしてそれらは、比色計２２がダイオード２６として示される光源、別のダイオード２７として示される光検出器、および上記光源と光検出器との間の容器３０（しばしばキュベツトと称される）を含む図１におけるような概略的な記載以外の詳細は説明されない。測定される濾液サンプルは、キュベット３０内に配置される。図１は、キュベット３０を別個の容器として示すが、その容器はまた、それが上記比色計によって測定される色領域において必要とされる透明度（最小の吸光度）を有することを条件に、管材の一部分または小さいリザーバーまたは任意のその他の適切な機能品目を含み得ることが、理解される。例えば、図７〜１３に示される実施形態では、光学系は、容器１４の上に位置決めされ、そして光学ポンプ２５は、カップ１０およびフィルター２１から比色計２２まで濾液を引く。
【０１０５】
タンパク質色素反応に関して良好に理解されるように、濾液の吸光度は、測定された色が濾液サンプル中の色素の濃度に比例するように、ベールの法則に従う。同じ理由のため、供給源２６は、濾液が吸収する周波数（色）にある光を発するように選択され、そして検出器２７は、同様に相当する周波数に感受性である。先に記載されたように、オレンジ１２色素は、約４８２ｎｍにおける特徴的な吸収ピークを有する。
【０１０６】
簡単に要約すると、ベールの法則は、式Ａ＝ｅｌｃに従って、溶液の吸光度が、セル通路長および濾液濃度の両方と線形に変動することを述べ、ここで、「ｅ」は、モル吸収率（ときに、吸光計数とも称される）を表し、「ｌ」は、セル通路長を表し、そして「ｃ」は、濃度を表す。モル吸収率は、測定に用いられる光の波長とともに変動する。
【０１０７】
プロセッサー３１は、ワイヤ、回路板、または比色計２２からプロセッサー３１にデータを伝達する任意のその他の適切な手段を表し得るライン３２を通じて比色計２２と信号通信している。このプロセッサー３１は、代表的には、パーソナルコンピューターの能力を有し、概略的に３３で示される適切なメモリーを含む。ともに、プロセッサー３１およびメモリー３３は、参照試験およびサンプル試験の両方からの吸光度結果を記憶し、この参照試験の吸光度とサンプル試験の吸光度とを比較し、そしてこれら比較に基づいてサンプルのタンパク質含量を算出する。タンパク質含量は重量に基づくので、このプロセッサーはまた、ライン３８．５５．１を通ってスケール１９に連結される。プロセッサー、および選択され測定されたパラメーター（例えば、温度および圧力）に基づき機器を制御する関連する電子回路の使用は、当該技術分野および関連技術分野で一般に良好に理解される。例示（しかし制限ではない）論議は、Ｄｏｒｆ、Ｔｈｅ  Ｅｌｅｃｔｒｉｃａｌ  Ｅｎｇｉｎｅｅｒｉｎｇ  Ｈａｎｄｂｏｏｋ、第２版（１９９７）ＣＲＣ  Ｐｒｅｓｓ  ＬＬＣを含む。
【０１０８】
ディスプレイ３４は、再び、集積回路の一部および従来のワイヤまたは類似の電子連結であり得るライン３５を通じてプロセッサーと通信している。このディスプレイは、プロセッサー３１と任意の従来様式で用いられ得、そして本発明による機器においては、比色計２２中の特定のサンプルの吸光度および上記機器によって分析されたサンプルのタンパク質含量のような項目を表示する能力を有する。ディスプレイとして示されているけれども、上記機器は、プリンター、またはメモリーもしくは別のデバイスへのデジタル出力を含むその他の出力形態を含み得る。しかし、このディスプレイは、最も代表的に、ベンチトップ使用のためのものである。上記機器は、当然に、複数の出力フォーマットを同時に支持し得る。
【０１０９】
図１はまた、機器の例示の実施形態に含まれるいくつかのさらなる特徴を示す。洗浄リザーバー３５は、ホモジナイザーに、代表的には、脱イオン水、または洗浄溶液、あるいは洗浄溶液および脱イオン水の逐次的組み合わせのいずれかである洗浄流体を提供するためにライン３６によってこのホモジナイザー１１に流体連通している。当然に、１つ以上のリザーバーが清浄化目的のために用いられ得ることが理解される。いくつかの実施形態では、ヒーター３８およびフィルター３９が、洗浄リザーバー３５とホモジナイザー１１との間に位置決めされ得る。次に、ホモジナイザー１１は、ドレインまたはコンテナまたは任意のその他の適切な品目であり得る、３７で概略的に示される廃棄に連結される。同じ様式で、廃液リザーバー４２は、比色計２２、そして特にサンプル測定の間にキュベット（または等価物）３０と、このキュベット３０を清浄化するために連通され得る。対応する廃棄４３が、同様に、洗浄サイクルを完了するためにキュベット３０と連通している。流体流れの所望の設計に依存して、共通の洗浄リザーバーが、別個のリザーバー３５および４２の代わりに含まれ得る。
【０１１０】
図１はまた、タンパク質サンプルまたはカップ１０がデバイス中に挿入されることを許容するか、またはリザーバー１６に水または色素濃縮物を添加することを容易にするために提供されるポートまたは開口部４０および４１をそれぞれ示す。
【０１１１】
別の実施形態では、自動化タンパク質分析器は、色素結合組成物のためのリザーバー１６、タンパク質色素反応容器１４、比色計２２、ならびに色素組成物をリザーバー１６から比色計２２または反応容器１４のうちの少なくとも１つに転送するためにリザーバー１６および比色計２２および反応容器１４のうちの少なくとも１つ（そして好ましくは両方）と流体連通しているポンプ２０の（およびそれらの間の流体連通とともに）組み合わせである。プロセッサー３１は、比色計２２からの吸光度出力を受容するために比色計２２と信号通信し、そしてメモリー３３は、吸光度（しかしこれに制限されない）を含む比色計からの出力を記憶するためにプロセッサー３１と信号通信する。
【０１１２】
この実施形態では、プロセッサーは、参照結合色素組成物のベースライン吸光度を、反応後の色素濾液溶液の比吸光度と比較し得、それによって、参照色素の吸光度−すなわち、リザーバー１６から直接かつタンパク質反応の前−と、タンパク質サンプルとの反応後に残る色素濾液の吸光度との間の差異に基づいてタンパク質サンプル中のタンパク質の量を算出および決定する。
【０１１３】
図２〜４は、まさに記載されたように、そして図７〜１３に示される本発明の実施形態に従って使用するためのフィルターホルダー４５を示す。図２の断面図は、フィルターホルダー４５が上部ハウジング４７と下部ハウジング４８との間に維持される実質的に平坦なフィルター媒体４６を含むことを示す。これらのハウジング部分４７および５０は一緒になって、フィルターホルダー４５を通る軸方向のフィルター通路５１を規定する。下部ハウジング５０は、フィルター媒体４６から垂れ下がる（ｄｅｐｅｎｄ）吐水口を規定する。使用において、この垂れ下がる吐水口は、第１の媒体４６がカップ１０の上に位置決めされる場合にサンプルカップ１０（図５および６）の底部分に到達した。図７〜１３に関してさらに理解され得るように、垂れ下がる吐水口は、カップ１０の下部部分に到達するので、それは、フィルター媒体４６を目詰させるタンパク質固形物または色素沈殿物よりもむしろ液体を促す。例示の実施形態では、このフィルター媒体は、（構造的支持のための）ガラス繊維と組み合わされたプラスチックスクリムである。
【０１１４】
従って、別の実施形態では、本発明は、サンプルカップ１０およびフィルターホルダー４５を備えるキットである。例示の実施形態において、そして図１６に示されるように、（７８で広く指定される）このキットは、色素結合溶液のコンテナ８０および洗浄溶液のコンテナ８１とともに、複数のカップ１０およびホルダー４５（例えば、各々の５０）を備える。キット７８中に提供される色素結合溶液および洗浄溶液の量は、カップ１０およびフィルターホルダー４５の数に等しい数の試験を実施するために十分である。
【０１１５】
図５および６は、図７および８で示される実施形態に従って用いられる（図１の概略図におけるもの同じ要素を表す）サンプルカップ１０を示す。フィルターホルダー４５およびサンプルカップ１０の両方は、それらを製造容易、軽量、低コスト、および最小廃棄物発生にするポリマーから形成され得、これらすべては、それらを消耗品（ｃｏｎｓｕｍａｂｌｅ  ｉｔｅｍ）として使用するために適する。消耗可能であることは、使用の間にそれらを清浄化する必要性が排除され得、そして先の使用が任意の所定の試験の結果を汚染する可能性が排除され得る。
【０１１６】
図７〜１４は、本発明によるタンパク質分析器の１つの実施形態を示す。大部分の特徴は、図７および８に関して説明され、そして同じ品目は、たとえ詳細に再び説明されなくても、図９〜１３に出現することが理解される。
【０１１７】
図７〜１３は、この特定の実施形態を用いる１つのタンパク質分析サイクルを一緒になって規定する一連の段階（または工程）を詳細に示す。図７は最初の段階を示す。商業的実施形態では、示される要素は、代表的には、ハウジングによって取り囲まれるが、図７〜１３は、明瞭さのために無関係の品目を含むことを避けている。従って、図７は、ターンテーブル５３および垂直移動器５４を支持するプラットホーム５２を示す。垂直移動器５４は、ホモジナイザー１１および比色計２２を運ぶ水平アーム５５を備える。
【０１１８】
ホモジナイザー１１は、モーター部分５６およびブレードシャフト５７を備える。
【０１１９】
モーター６０および関連するコントロールは、垂直移動器５４を作動する。６１で一緒に示される別のモーターおよび付随するプーリーは、ターンテーブル５３を駆動する。
【０１２０】
このターンテーブル５３は３つのステーション：垂直方向に配向された開放シリンダーとして示される洗浄ステーション６２、カップホルダー６３および濾過レスト６４を含む。
【０１２１】
図７は、操作者が、カップ１０（およびそのサンプル）およびフィルター４５をそれらの個々のホルダー中に配置する前のホーム位置にあるターンテーブル５３を示す。
【０１２２】
図８は、図７と同じ配向を示すが、サンプルカップ１０はサンプルカップホルダー６３中にあり、そしてフィルターホルダー４５はフィルターレスト６４にある。ベンチトップ操作では、操作者は、代表的には、カップ１０をカップホルダー６３中に、そしてフィルターホルダー４５をレスト６４中に位置決めする。しかし、これは、本発明を制限するよりはむしろ例示であり、そしてこれらの工程は、同様に自動化され得る。
【０１２３】
図９は、操作の第３の段階を示し、ここでは、ターンテーブルは、結合色素がサンプルカップに添加される位置まで回転されている。色素は、示される実施形態では比色計２２の背後に置かれる色素添加チューブ６５を通じて添加される。この位置では、サンプルカップ１０は、色素添加チューブ６５の下にある。１つの実施形態では、ターンテーブル５３はまた、色素が添加されているとき、カップ１０を回転するためにこのターンテーブル５３上でカップホルダー６３を個々に回転するための手段（図９では見えない）を含み得る。このさらなる回転は、カップ１０におけるサンプルと色素との混合を支援する。
【０１２４】
図１０は、ホモジナイゼーション位置と称され得る、プロセスの第４の段階を示す。この位置では、カップ１０は、ホモジナイザー１１およびそのブレードシャフト５７の下に位置決めされる。フィルター４５が、次に、比色計２２の下に位置決めされる。図１０はまた、この位置において、垂直移動器５４が、カップ１０中のブレードシャフト５７を位置決めするために水平アーム５５の位置を低下させたことを示す。同時に、光学チューブ６６がフィルターホルダー４５の頂部と係合し、フィルターホルダー４５を比色計に一時的に固定する。サンプルは、この位置でホモジナイズされる。
【０１２５】
図１１は、垂直移動器５４が比色計２２およびホモジナイザー１１を、ブレードシャフト５７がカップ１０およびフィルターホルダー４５よりも上ではあるが、フィルターレスト６４よりも上に同様に高められた光学チューブ６６に依然として係合するように高めた、上記プロセス中の第５の段階を示す。
【０１２６】
図１２は、サンプリング位置を表すプロセス中の第６の段階を示す。ターンテーブル５３は、（図１１および１２に関して）時計回りに回転され、カップ１０をそのサンプルとともに比色計２２の下に位置決めし、そしてホモジナイザー１１を清浄化ステーション６２と整列する。図１２に示されるように、垂直移動器５４が水平アーム５５を低下させるとき、ブレードシャフト５７は、同様に、清浄化ステーション６２に低下し、そしてフィルターホルダー４５は、サンプルカップ１０中に低下する。この位置で、サンプルポンプがサンプルをフィルターホルダー４５まで、かつフィルターホルダー４５を通って引く。フィルター媒体（例えば、図２および４中の４６）は、フィルターのみが比色計２２に到達することを可能にする。比色計２２は、次いで、吸光度読み取り値を、そうでなければ良好に理解された様式で取り込む。図１の説明で呈示されたように、この工程では、脱イオン水または別の溶液が、清浄化ステーション６２に添加され得、ホモジナイザー１１を、そして特にブレードシャフト５７を清浄化する。この実施形態では、ポンプ（示されてはいない）が、比色計２２の上流、かつ脱イオン水または清浄化溶液の供給源（例えば、図１中の洗浄リザーバー４２）との流体連通に位置決めされる。この配列は、ポンプが脱イオン水のみを取り扱いながら、比色計中にサンプルを引くことを可能にする。この実施形態では、上記ポンプはまた、反対方向に稼働し得、サンプルを比色計２２から洗い流す。
【０１２７】
図１２はまた、フィルターホルダー４５の利点を示す。図１２に示されるサンプリング位置では、フィルターホルダー４５は、サンプルカップ１０中に挿入される。図１２には示されていないけれども、色素結合溶液を固体タンパク質（例えば、肉）とホモジナイズする当業者は、ホモジナイゼーションおよび色素反応が、色素タンパク質沈殿物とともに顕著な量の泡、および肉サンプル中の残りの固体を生成する傾向にあることを認識する。
【０１２８】
フィルターホルダー４５は、カップ１０のサイズおよび形状を補完する吐水口５０を含む（図１５および１６）ので、このフィルターホルダー４５は、過剰の固体をフィルターに引くことを避ける傾向にある。結果として、このフィルターホルダーおよびカップ配列は、フィルターへの液体の自由な流れ、そしてフィルターから比色計中への対応してより良好な流れを促進する。１つの局面では、カップ１０およびフィルターホルダー４５のこの配列は、特定の従来の色素結合技法の特徴であるメタノールおよびクエン酸でのホモジナイズする前の希釈工程の必要性を排除する。次に、希釈工程を排除することは、この希釈工程とともに導入される任意の可能な誤りを排除し、そしてまた、この機器を用いるプロセスの自動化を容易にする。
【０１２９】
図１３は、この実施形態によって実施するとき、このプロセスの第７の段階、および終了段階を示す。光学チューブ６６は、フィルターホルダー４５をカップ１０中に追い出し、そしてその光学は、カップ１０中に収集し得る適切な流体で洗い流される。それ故、この段階の終わりには、そして垂直移動器５４が水平アーム５５を再び高めるとき、当初のサンプル、用いたフィルターホルダー４５、および比色計２２からのリンスは、すべてカップ１０の中にある。これらの品目は、容易に一緒に処分され得る。用いたサンプルカップ１０、用いたフィルターホルダー４５、および廃棄溶液を除去することは、この機器を最初の段階の定位に、そして図７に最初に示されるように、次のサンプルのための準備に戻す。
【０１３０】
この点で、図２〜４は、フィルターホルダー４５の上部ハウジング４７が、雄シール７０およびエジェクターシース７１を含む例示の実施形態を示す。この組み合わせは、光学チューブ６６と協同し、光学チューブ６６およびフィルターホルダー４５との係合、および脱係合を容易にする。
【０１３１】
図１５は、７３で広く指定されるそのハウジングの状況において６８で広く指定される機器の斜視図である。キーボードまたはアナログコントロールパネル７４が関連した指示を上記デバイスに提供するために用いられ得、そしてディスプレイ７５と組み合わせて作動する。先に記載されたように、個々のコントロールパネル、プロセッサー、コントローラー、およびディスプレイの性質は、この技術分野で良好に理解され、そして詳細には説明されない。
【０１３２】
図１５に示される実施形態では、ハウジング７３は、この実施形態では、ターンテーブル５３の位置を表すほぼ円筒形の部分７６、および図７〜１３で示される機器の付随する要素を含む。この円筒形のハウジング部分７６は、ターンテーブル５３上に新たなサンプルを位置決めするため、またはターンテーブル５３から分析されたサンプルを除去するために開閉され得る扉７７を含む。
【０１３３】
別の局面では、本発明は、タンパク質分析のための色素結合方法である。この局面では、本発明は、初期参照色素濃縮物から未知濃度の初期参照色素溶液を調製する工程を包含する。既知濃度の参照色素濃縮物は当該技術分野で入手可能であるが、本明細書中でさらに説明されるように、本発明の方法および機器は、従来の方法が必要とする測定工程のいくつかを排除し得る。代表的には、参照色素溶液は、参照色素濃縮物を水、およびｐＨを調整するための弱酸（例えば、酢酸）または発泡を低減するためのアルコール（例えばエタノール）のような可能な品目と希釈することにより調製され得る。
【０１３４】
上記の方法は、次に、初期参照色素溶液の吸光度に基づく電子（例えば、デジタルまたはアナログ）信号を生成する工程を含む。この吸光度は、本明細書では、その従来の意味で用いられ、上記機器に関して先に論議されたようなベールの法則分析に言及するその従来の意味で用いられる。
【０１３５】
以下の工程では、上記方法は、初期参照色素溶液および初期タンパク質サンプルから調製された色素濾液溶液の吸光度に基づく電子信号を生成する工程を含む。この参照色素溶液の吸光度信号および染色された濾液溶液からの吸光度信号は、それぞれ、個々の吸光度を比較し、そしてこれら吸光度間の差異に基づきタンパク質サンプルのタンパク質含量を算出するプロセッサーに送られる。
【０１３６】
上記方法は、次に、参照色素溶液および連続的タンパク質サンプルから調製された連続的色素濾液溶液の吸光度に基づく電子信号を生成する工程を含む。
【０１３７】
連続的サンプル色素濾液溶液からの吸光度信号はまた、プロセッサーに送られ、初期参照色素溶液の吸光度と連続的色素濾液溶液の吸光度との間の差異に基づき、この連続的サンプルのタンパク質含量を算出する。
【０１３８】
上記方法は、さらに、上記色素濾液溶液に基づく電子信号を生成する工程の前に、タンパク質サンプルを秤量する工程、およびこのサンプルを上記初期色素参照溶液と混合する工程を包含し得る。次に、このタンパク質サンプルを秤量する工程は、このサンプルを、風袋計量サンプルカップに添加すること、およびこのカップおよびサンプルを秤量することを包含し得る。
【０１３９】
上記方法は、さらに、上記サンプルを秤量する工程の後に、このサンプルをホモジナイズする工程を包含し得る。これは、次いで、サンプルのホモジナイゼーションが代表的には材料を秤量する工程の前に実施される先行技術技法から本発明の方法および機器を特に区別する。サンプルをホモジナイズする工程は、グラインディングすること、粉砕すること、ブレンドすること、ミリングすること、およびそれらの組み合わせからなる群から選択され得る。
【０１４０】
サンプルがホモジナイズされた後、上記の方法は、参照色素溶液をホモジナイズされたサンプルと、この色素溶液とサンプルとを物理的に撹拌することにより混合する工程を包含し得る。上記方法は、上記濾液の吸光度に基づく電子信号を生成する工程の前に上記初期参照色素溶液と上記タンパク質サンプルとの混合物を濾過する工程を包含する。同じ様式で、上記方法は、上記濾液の吸光度に基づく電子信号を生成する工程の前に連続的参照色素溶液と連続的タンパク質サンプルとの混合物を濾過する工程を含む。
【０１４１】
用語「濾液」は、名目上、固体が濾過された溶液をいい、本発明の文脈では、濾液は、固体が分離された任意の反応後の色素溶液を記載するために用いられ得る。例えば、上記タンパク質色素混合物から固体を遠心分離することは、適切な濾液を生成する。
【０１４２】
特定の利点として、上記方法は、上記タンパク質−色素分析を繰り返す工程を含み、上記初期参照色素溶液が使い尽くされるまで連続的色素濾液溶液を生成する。未知濃度の連続的参照色素溶液が、次いで、参照色素濃縮物から調製される。残りの分析工程が、次いで、上記連続的参照色素溶液と連続的タンパク質サンプルとの間の連続的反応から形成された連続的色素濾液溶液について繰り返される。
【０１４３】
一旦上記初期参照色素溶液が使い尽くされると、上記連続的参照色素溶液は、上記初期参照色素濃縮物からか、または異なる色素濃縮物から調製され得る。なぜなら、上記方法および関連する機器は、全ての参照色素溶液に基づき再調整する機会を提供するからである。
【０１４４】
別の局面では、本発明は、タンパク質分析のために比色計を較正し、そして複数のタンパク質サンプルを分析するための方法を含む。この局面では、本発明の方法は、初期参照色素濃縮物および近似量の液体から未知濃度の初期参照色素溶液を調製する工程を包含する。その他の実施形態におけるように、上記液体は主に脱イオン水であるが、酢酸またはエタノールのような品目を含み得る。
【０１４５】
上記初期参照色素溶液は−いかなるものとも反応することなく−比色計に転送され、そこでこの初期参照色素溶液の吸光度がベールの法則の文脈で測定される。その後、上記初期参照色素溶液とタンパク質サンプルとの反応から調製された初期色素濾液溶液が比色計に転送され、そしてこの比色計は、この初期色素濾液溶液の吸光度を測定する。
【０１４６】
この吸光度は、上記初期色素濾液溶液から生じ、そしてこの初期参照色素溶液は、個々の吸光度を比較し、そしてこれら吸光度間の差異に基づき、サンプルのタンパク質含量を算出する。
【０１４７】
次いで、連続的色素濾液溶液−連続的色素タンパク質反応由来−は、比色計に送られ、そしてこの連続的色素濾液溶液の吸光度が測定される。この連続的色素濾液溶液からの吸光度結果は、プロセッサーに送られて、上記初期参照色素溶液の吸光度と上記連続的色素濾液溶液の吸光度との間の差異に基づいて上記連続的サンプルのタンパク質含量を算出する。
【０１４８】
この方法では、上記サンプル色素溶液を転送する工程は、タンパク質サンプルを上記初期参照色素溶液の一部分と混合する工程、次いで、上記タンパク質サンプルが上記初期参照色素溶液と反応するときに生成されるタンパク質−色素沈殿物を濾過する工程、および次に、濾液を比色計に転送する工程をさらに包含し得る。
【０１４９】
その他の実施形態におけるように、上記タンパク質サンプルは、代表的には、上記初期参照色素溶液と混合される前にホモジナイズされる。
【０１５０】
上記方法は、上記参照色素濃縮物から調製された上記初期参照色素溶液が使い尽くされるまで連続的色素濾液溶液を比色計に転送することを繰り返す工程をさらに包含し得る。次いで、連続的参照色素溶液が、参照色素濃縮物を連続的近似量の液体と混合することにより調製されて、未知濃度の連続的作業色素溶液を生成し得る。
【０１５１】
上記方法は、上記参照色素溶液を転送する工程、上記色素濾液溶液を転送する工程、吸光度結果を送る工程、上記連続的色素濾液溶液を転送する工程、および連続的吸光度結果を送る工程であって、すべてを上記液体の連続的部分を参照色素濃縮物と混合する工程の後に繰り返す工程を、さらに包含し得る。
【０１５２】
その他の実施形態におけるように、上記連続的参照色素溶液は、上記初期参照色素濃縮物からか、または異なる参照色素濃縮物から調製され得る。
【０１５３】
図１４は、一般的カテゴリーのサンプルのタンパク質含量が正規化され得て、上記機器が上記参照色素溶液が用いられ、そして次に補充されるとき一貫した結果を提供する様式を示す。図１４はまた、表１〜４に関連する。
【０１５４】
正規化の目的は、上記機器を、異なる初期色素濃縮物が一貫したタンパク質含量結果を生成するように標準化することである。先に記載されたように、上記色素結合技法は、基本的に、タンパク質と反応する前およびタンパク質と反応した後との間の色素の吸光度（色密度）における差異に基づく。色素溶液の出発濃度（色）が増加（または減少）する場合、反応後の色強度は、その色素溶液と試験されたすべてのタンパク質サンプルについて対応してより大きい（またはより少ない）。
【０１５５】
なお別の様式で陳述すると、出発色素溶液が濃いほど、特定量のタンパク質との反応後でさえ、より濃い溶液を生成する。同じ様式で、より濃縮されない色素溶液は、特定量のタンパク質との反応後に、より濃縮されない溶液を生成する。それ故、同じタンパク質サンプルは、異なる出発色素濃度を基づき異なる比色計結果を与える。従って、上記正規化工程は、初期色素溶液における差異を補い、そして上記機器からの一貫した出力を生成する。
【０１５６】
表１〜４は、２つの異なる初期色素溶液間の結果を正規化するための１つの方法を示す。
【０１５７】
表１は、「Ａ」として任意に指定される第１の色素溶液からのデータを呈示する。この「Ａ」色素溶液は、その吸光度読み取り値を得るために比色計中に置かれる（この例では、２８．５６）。脱イオン水のブランクサンプルが、次いで、その透過（４４３．６０）を得るために直ちに同じ比色計に配置される。この「Ａ」初期色素溶液の吸光度（１．１９１）が、以下の式に従って算出される。
【０１５８】
吸光度＝ｌｏｇ（色素透過／ブランク透過）。
【０１５９】
表２は、上記「Ａ」初期色素溶液を用いて、七面鳥ペーストの４つのサンプルについての結果を与える。分析のためのベースラインを生成するために、この七面鳥ペーストは、最初に、ケルダール法を用いて試験され、これは、３１．２３重量％のタンパク質含量を示した。
【０１６０】
この七面鳥ペーストの４つの個々のサンプルは、次いで、本発明の機器および方法を用いて試験された（「読み取り値」）。各サンプルの読み取り値には、直ちに脱イオン水の読み取り値（「ブランク」）が続いた。吸光度は、これを基礎に算出された。結果は、次に、最小自乗分析を用いてプロットされ、図１４に示される直線を形成した。理論的タンパク質％（「理論タンパク質（％）」）が、次いで、この最小自乗直線からとられ、そしてケルダール結果との比較（「エラー」）が各サンプルについて算出された。
【０１６１】
表３は、上記「Ａ」初期色素溶液とは異なる濃度に目的をもって作製された「Ｂ」として指定される第２の初期色素溶液を表す。この「Ｂ」溶液のその透過、脱イオン水ブランクの透過、および吸光度が適切に算出された。
【０１６２】
「Ａ」初期色素溶液の吸光度（１．１９１）と「Ｂ」初期色素溶液の吸光度（０．９２３）との間の差異は、この「Ｂ」初期色素溶液を用いるその結果が、「Ａ」初期色素溶液と一致する結果を与えるように正規化されなければならない程度を表す。
【０１６３】
表４は、同じ七面鳥ペーストのさらに３つのサンプルの結果を示す。上記「Ｂ」色素溶液を用いる生の結果は、図１４の下部分に小さい四角としてプロットされる。上記「Ａ」溶液の初期吸光度と「Ｂ」溶液の初期吸光度との間の差異が、この「Ｂ」データ点に付加されるとき、この「Ｂ」データ点は、図１４中に三角形として入る。これら三角形は、ここで、上記「Ａ」溶液から生成された最小の四角の線に沿うので、上記「Ｂ」溶液を用いる結果は、上記「Ａ」溶液の結果と直接比較され得る。
【０１６４】
この正規化工程は、初期色素溶液の第３および続く濃度について同じ様式で実施され得、それ故、初期色素溶液の濃度における名目上の変動とは独立に一貫したタンパク質含量結果を提供する能力を備えた機器を提供する。
【０１６５】
（七面鳥ペースト正規化試行）
【０１６６】
【表１】
0005203857.tif 000002
【０１６７】
【表２】
0005203857.tif 000003
【０１６８】
【表３】
0005203857.tif 000004
【０１６９】
【表４】
0005203857.tif 000005
【０１７０】
図面および明細書においては、本発明の好ましい実施形態が呈示されており、そして特定の用語が採用されているけれども、それらは、包括的かつ記述的意味でのみ用いられ、そして制限の目的のためではなく、本発明の範囲は、請求項において規定されている。
【０１７１】
概要
直接迅速自動化タンパク質分析器が開示される。本タンパク質分析器は、タンパク質サンプルを小粒子に変形する手段、ホモジナイザーと材料転送連通している反応容器、反応容器と流体連通している結合色素組成物のためのリザーバー、別個の所定量の結合色素組成物を反応容器に分与するための、リザーバーおよび反応容器と流体連通している定量ポンプ、色素結合反応が反応容器中で起こった後に濾液から固体を分離するための、反応容器と流体連通しているフィルター、ならびに反応容器およびフィルターからの濾液の吸光度を測定するための、フィルターおよび反応容器と流体連通している比色計を含む。迅速分析器は、タンパク質サンプルを色素結合溶液と混合するためのサンプルカップ、およびサンプルカップ中に位置決めされるためのフィルターホルダーを含むキットと組み合わせて用いられ得る。フィルターホルダーは、フィルター媒体、およびフィルター媒体がカップの上に位置決めされるとき、カップの底部分に到達するフィルター媒体の下の付随する吐水口を含む。キットはまた、色素濃縮物溶液を含み得る。
【図面の簡単な説明】
【０１７２】
【図１】図１は、本発明に従う機器の概略図である。
【図２】図２は、フィルターホルダーおよびフィルター媒体の断面図である。
【図３】図３は、フィルターホルダーおよびフィルター媒体の斜視図である。
【図４】図４は、フィルターホルダーおよびフィルター媒体の分解断面である。
【図５】図５は、本発明に従うサンプルカップの断面図である。
【図６】図６は、本発明に従うサンプルカップの斜視図である。
【図７】図７は、本発明のターンテーブル、ホモジナイザー、および光学サンプリング構成要素の斜視図である。
【図８】図８は、図７と同じ構成要素を示すが、タンパク質分析測定の間のサンプルカップ、フィルター、および光学システムの個々の位置および動きを示す。
【図９】図９は、図７と同じ構成要素を示すが、タンパク質分析測定の間のサンプルカップ、フィルター、および光学システムの個々の位置および動きを示す。
【図１０】図１０は、図７と同じ構成要素を示すが、タンパク質分析測定の間のサンプルカップ、フィルター、および光学システムの個々の位置および動きを示す。
【図１１】図１１は、図７と同じ構成要素を示すが、タンパク質分析測定の間のサンプルカップ、フィルター、および光学システムの個々の位置および動きを示す。
【図１２】図１２は、図７と同じ構成要素を示すが、タンパク質分析測定の間のサンプルカップ、フィルター、および光学システムの個々の位置および動きを示す。
【図１３】図１３は、図７と同じ構成要素を示すが、タンパク質分析測定の間のサンプルカップ、フィルター、および光学システムの個々の位置および動きを示す。
【図１４】図１４は、本発明に従う測定のための吸光度対タンパク質含量の例示の正規化プロットである。
【図１５】図１５は、本発明に従う、そのハウジングの状況における分析器の斜視図である。
【図１６】図１６は、本発明に従う、タンパク質分析キットの斜視図である。
【図１】
0005203857.tif 000006
【図２】
0005203857.tif 000007
【図３】
0005203857.tif 000008
【図４】
0005203857.tif 000009
【図５】
0005203857.tif 000010
【図６】
0005203857.tif 000011
【図７】
0005203857.tif 000012
【図８】
0005203857.tif 000013
【図９】
0005203857.tif 000014
【図１０】
0005203857.tif 000015
【図１１】
0005203857.tif 000016
【図１２】
0005203857.tif 000017
【図１３】
0005203857.tif 000018
【図１４】
0005203857.tif 000019
【図１５】
0005203857.tif 000020
【図１６】
0005203857.tif 000021